(57)【要約】【課題】簡単に接続でき、良好な水密シール性も確保できる医療用コネクタ等を提供する。【解決手段】医療用コネクタ１０は、薬液が流れる液路を有の医療用具（カテーテルハブなど）に接続されるものである。このコネクタ１０は、内部を薬液が通るようになっている胴体部１３と、胴体部１３から延び出した、カテーテルハブの液路に差し込まれる筒状の挿入部１１と、を備えており、コネクタ１０とカテーテルハブ３０とは係止爪１８により接続される。薬液流通時には、挿入部１５が薬液の液圧を受けて拡径し、カテーテルハブの内孔ない周面に密着する。【選択図】図５
2009160031.tif 000002
【特許請求の範囲】
【請求項１】
液路と該液路の入口部分に形成された受け部とを有する雌コネクタに接続される雄コネクタであって、
内部を前記液が通るようになっている胴体部と、
前記胴体部から延び出すと共に内部を前記液が通るようになっている、前記受け部に挿入される筒状の挿入部と、
当該雄コネクタと前記雌コネクタとを接続するための係止手段を構成する係止爪及び係止爪受けのうちの一方と、
を備え、
前記挿入部が、前記液の流通時に当該液からの圧力を受けて拡径し、その外周面が前記雌コネクタの前記受け部の内周面に密着する雄コネクタ。
【請求項２】
薬液が流れる液路と該液路の入口部分に形成された受け部とを有する医療用具に接続される医療用コネクタであって、
内部を前記薬液が通るようになっている胴体部と、
前記胴体部から延び出すと共に内部を前記液が通るようになっている、前記受け部に差し込まれる筒状の挿入部と、
コネクタと前記医療用具とを接続するための係止手段を構成する係止爪及び係止爪受けのうちの一方と、
を備え、
前記挿入部が、前記薬液の流通時に当該薬液からの圧力を受けて拡径し、その外周面が前記医療用具の前記受け部の内周面に密着する医療用コネクタ。
【請求項３】
前記挿入部の外周面が先細り形状であり、かつ、前記挿入部の肉厚が先端に向かって徐々に薄く形成されている、請求項２に記載の医療用コネクタ。
【請求項４】
前記挿入部が、前記胴体部の材料より軟質な材料で構成されている、請求項２又は３に記載の医療用コネクタ。
【請求項５】
前記医療用具が留置針である、請求項２〜４のいずれか１項に記載の医療用コネクタ。
【請求項６】
一対の前記係止爪が前記胴体部の両側に設けられている、請求項２〜５のいずれか１項に記載の医療用コネクタ。
【請求項７】
各係止爪は、
前記胴体部から径方向外側に張り出した支持部と、
該支持部の径方向外側の端部からコネクタ先端側に向かって延び出した延出部と、
を有する、請求項６に記載の医療用コネクタ。
【請求項８】
請求項７記載の医療用コネクタにおいて、
前記延出部の先端の、径方向外側に係止段部が形成されている、医療用コネクタ。
【請求項９】
請求項７記載の医療用コネクタにおいて、
前記延出部の先端の、径方向内側に爪の係止段部が形成されている、医療用コネクタ。
【請求項１０】
請求項２〜９のいずれか１項に記載の医療用コネクタと、
該医療用コネクタが接続される医療用具と、
を備えた医療用具セット。
【請求項１１】
前記医療用具が留置針であって、
該留置針は、
その先端側が患者の体に刺し込まれるカテーテルと、
該カテーテルの基端部を支持するカテーテルハブと、
該カテーテルハブに形成されるか、又は、該カテーテルハブに可撓性チューブを介して接続された別のハブに形成された、前記医療用コネクタの挿入部が挿入される受け部と、
を有している、請求項１０に記載の医療用具セット。
【発明の詳細な説明】
【技術分野】
【０００１】
本発明は、例えば留置針に薬液チューブを接続するための医療用コネクタ等に関する。特には、簡単に接続でき、良好な水密シール性も確保できる医療用コネクタ及び医療用具セット等に関する。
【背景技術】
【０００２】
医療用の透視撮像装置としては、ＣＴ（Computed Tomography）スキャナ、ＭＲＩ（Magnetic Resonance Imaging）装置、ＰＥＴ（Positron
Emission Tomography）装置、超音波診断装置、ＣＴアンギオ装置、ＭＲアンギオ装置等がある。このような装置を使用するとき、例えば鮮明な画像を得ることなどを目的として患者の体内に造影剤や生理食塩水など（以下、これらを単に「薬液」ともいう）が注入されることが多い。
【０００３】
このような薬液を患者に注入する場合、先ず、患者の腕の血管（一例）に留置針のカテーテルが差し込まれ、シリンジ内の薬液を患者に注入できる状態とする。次いで、シリンジのピストンを押し込むことで、シリンジ内の薬液が押し出され、薬液がチューブやカテーテルを通じて患者体内へと供給される。
なお、このような薬液の注入を自動で行う装置（「自動注入器」などと呼ばれる）は従来公知である。
【０００４】
留置針は、一般に、カテーテルハブとそれ取り付けられた柔軟性のあるカテーテルとを有している。カテーテルハブの基端部には、一例として、ねじ込み式のコネクタを接続するための接続部（ネジ部等）が形成されている。ねじ込み式のコネクタは、薬液チューブの先端部に取り付けられたものであり、これをねじ込むことで、コネクタとハブとが接続される。
なお、上記のようなねじ込み式のコネクタとしては、例えば特許文献１に記載されたものが知られている。
【特許文献１】実開昭６２−１１６７４０号公報
【発明の開示】
【発明が解決しようとする課題】
【０００５】
しかしながら、上述したような方式の場合、患者の腕に刺さったままの留置針（カテーテルハブ）にコネクタを接続する必要があるが、留置針はその全体の長さが比較的短い（例えば数十ｍｍ）場合が多く、このような短い留置針にコネクタを接続するのは容易ではない。例えば、片手で留置針を押さえつつ、もう一方の手でコネクタを回してねじ込む必要があり、作業が煩雑である。また、ねじ込みが不十分であったりすると、薬液の漏れが発生するおそれもある。
【０００６】
一方、上記のように自動注入器等を用いて薬液を患者の体内に注入する場合、通常の点滴などに比べて薬液は高圧となる。従って、この用途に用いられるコネクタには、薬液が比較的高圧となっても、薬液の漏れやコネクタの抜けが生じないようになっていることが望まれる。
【０００７】
本発明は上記課題に鑑みてなされたものであり、その目的は、簡単に接続でき、良好な水密シール性も確保できる医療用コネクタ及び医療用具セット等を提供することにある。
【課題を解決するための手段】
【０００８】
上記目的を達成するため、本発明の医療用コネクタは、
薬液が流れる液路と該液路の入口部分に形成された受け部とを有する医療用具に接続される医療用コネクタであって、
内部を前記薬液が通るようになっている胴体部と、
前記胴体部から延び出すと共に内部を前記液が通るようになっている、前記医療用具の前記受け部に差し込まれる筒状の挿入部と、
当該コネクタと前記医療用具とを接続するための係止手段を構成する係止爪及び係止爪受けのうちの一方と、
を備え、
前記挿入部が、前記薬液の流通時に当該薬液からの圧力を受けて拡径し、その外周面が前記医療用具の前記受け部の内周面に密着するようになっている。
【０００９】
このような構成によれば、コネクタに設けられた係止手段を利用してコネクタと医療用具とを接続できるので、ねじ込み式のものに比べて、接続作業が非常に簡単である。しかも、薬液流通時に、挿入部の外周面と医療用具の受け部内周面とが良好に密着するので、水密シール性も十分に維持される。
【００１０】
上記本発明の医療用コネクタにおいては、挿入部の外周面が先細り形状であり、かつ、前記挿入部の肉厚が先端に向かって徐々に薄く形成されているものであってもよい。
また、挿入部が、前記胴体部の材料より軟質な材料で構成されていてもよい。
【００１１】
また、医療用具は留置針であってもよい。
ここで、留置針は、
その先端側が患者の体に刺し込まれるカテーテルと、
該カテーテルの基端部を支持するカテーテルハブと、
該カテーテルハブに形成されるか、又は、該ハブに可撓性チューブを介して接続された別のハブに形成された、前記医療用コネクタの挿入部が挿入される受け部と、
を有するものであってもよい。
【００１２】
上記本発明の医療用コネクタにおいては、また、一対の前記係止爪が前記胴体部の両側に設けられているものであってもよい。
また、各係止爪が、
前記胴体部から径方向外側に張り出した支持部と、
該支持部の径方向外側の端部からコネクタ先端側に向かって延び出した延出部と、
を有するものであってもよい。
【００１３】
上記コネクタにおいては、延出部の先端の、径方向外側に係止段部が形成されていてもよい。あるいは、延出部の先端の、径方向内側に爪の係止段部（突起）が形成されてもよい。
【００１４】
本発明の医療用具セットは、上記本発明の医療用コネクタと留置針（上記参照）とを備える。
【００１５】
本発明はまた一般的なコネクタにも適用可能であり、本発明の雄コネクタは、
液路と該液路の入口部分に形成された受け部とを有する雌コネクタに接続される雄コネクタであって、
内部を前記液が通るようになっている胴体部と、
前記胴体部から延び出すと共に内部を前記液が通るようになっている、前記受け部に挿入される筒状の挿入部と、
当該雄コネクタと前記雌コネクタとを接続するための係止手段を構成する係止爪及び係止爪受けのうちの一方と、
を備え、
前記挿入部が、前記液の流通時に当該液からの圧力を受けて拡径し、その外周面が前記雌コネクタの前記受け部の内周面に密着するようになっている。
【発明の効果】
【００１６】
上述したように、本発明によれば、簡単に接続でき、良好な水密シール性も確保できる医療用コネクタ及び医療用具セット等を提供することができる。
【発明を実施するための最良の形態】
【００１７】
以下、図面を参照して本発明の実施の一形態を説明する。
（第１の実施形態）
図１は、第１の実施形態の医療用コネクタを示す図であり、（Ａ）が縦断面図であり、（Ｂ）が左側面図である。図２（Ａ）は図１のコネクタの平面図であり、図２（Ｂ）は底面図である。
なお、以下の説明では、図面の記載に合わせて「上下」、「左右」といった方向を示す語句を用いるが、これらは本発明を何ら限定するものではない。
【００１８】
図１に示すように、この医療用コネクタ１０は、一例として、全長が２０〜３０ｍｍ程度の比較的小さな樹脂成形品であり、薬液が通る液路１１を有している。このコネクタ１０は、コネクタの基端側である筒状の胴体部１３と、該胴体部１３から上方に向かって（軸線方向に）延び出した挿入部１５と、を備えている。胴体部１３の左右両側には、コネクタ１０を医療用具（詳細下記）に接続するための一対の係止爪１８が形成されている。
【００１９】
図１に示すように、液路１１の入り口部分は胴体部１３の内孔（胴体部１３の下端から所定深さだけ掘り込まれた穴）によって構成されており、ここに、不図示のチューブが接続される。なお、このチューブの基端側（不図示）は、例えば造影剤の入ったシリンジに接続される。
【００２０】
挿入部１５の長さは、一例として１０〜１５ｍｍ程度である。挿入部１５の内周面及び外周面はいずれもテーパ状とされ、これにより、挿入部１５の肉厚が先端にいくにつれて徐々に薄くなっている。例えば、挿入部１５の根本での肉厚がおよそ１ｍｍであり、先端での肉厚がおよそ０．５ｍｍであってもよい。
【００２１】
一対の係止爪１８は、胴体部１３から径方向外側に張り出した支持部１８ａと、この支持部１８ａの径方向外側の端部から上方に向かって延びる延出部１８ｂと、を有し、全体として略Ｌ字状に形成されている。延出部１８ｂの先端側は爪１９となっており、この例では、爪１９の係止段部は外側に形成されている。
後述するように、この一対の係止爪１８は、カテーテルハブの係止孔（詳細下記）に挿入されて係止される（図５参照）。
【００２２】
図１（Ｂ）に示すように、係止爪１８を係止孔（詳細下記）に入れやすくするために、爪１９は、側方から見た輪郭形状が先細りに形成されている。図２（Ａ）に示すように、爪１９は胴体部１３等と中心を同じくする円弧状に形成されている。
【００２３】
次に、図３、図４を参照してカテーテルハブ３０について説明する。
図３は、図１のコネクタを接続することができるカテーテルハブを示しており、図３（Ａ）が正面図であり、図３（Ｂ）が左側面図であり、図３（Ｃ）が縦断面図である。図４（Ａ）は図３のカテーテルハブの平面図であり、図４（Ｂ）は底面図である。
【００２４】
このカテーテルハブ３０は、一例として樹脂製であり、全体として先細り形状に形成された本体部３１と、その基端部（図示下端）において該本体部３１の両側に張り出した一対の枠部３８と、を有している。図３（Ｃ）に示すように、ハブ３０の内側は先細りの内孔３１ｈとなっている。この内孔３１ｈの下側およそ半部は、コネクタ１０の挿入部１５が挿入される受け部８となっている。内孔内周面のテーパ角度は、一例として、コネクタの挿入部１０の外周面のテーパ角度と同じである。
【００２５】
図３（Ｃ）に示すように、本体部３１の先端部には、患者の血管等に差し込まれるカテーテル（一般に柔軟なものを指し、カニューレと呼ばれることもある。）が取り付けられる。このようにカテーテルハブ３０にカテーテル２が取り付けられたものを留置針５という。留置針の他の例については、図１３を参照して後述する。
【００２６】
なお、このような柔軟なカテーテル２を患者の血管等にスムーズに刺せるように、カテーテル２の内側に硬質な内針を配した二重針構造が採用されている。二重針構造自体は従来公知であり、例えば特開２００７−２７５３０４にも開示されている。一般的な二重針構造においては、カテーテル２（外針）の内側に金属製の硬質な内針がスライド自在に挿入されており、初期状態では、内針の先端がカテーテル２の先端よりも僅かに突出している。このような二重構造となっていることで針全体としての剛性が確保され、患者の血管等への穿刺がスムーズに実施できる。穿刺した後、内針を引き抜くことで、外針であるカテーテル２が留置されることとなる。このように内針を引き抜くための機構に関しても従来種々提案されている。本実施形態においては、例えば、内針の基端にワイヤーが接続されており、それを引くことで内針が抜去される機構や、又は、スプリングの付勢力を利用して、内針が抜去される機構を利用することができる。
【００２７】
図３（Ｂ）に示すように、本体部３１の外周面には、軸線方向に所定の間隔をあけて２つのつば部３５が形成されており、これにより、カテーテルハブ３０の持ち易さが改善されている。この例では、手前側のつば部３５が大きく、先端側のつば部３５が小さく形成されている。
つば部３５は、図４（Ａ）に示すようにその輪郭が略Ｕ字状に形成され、本体部３１の全周にわたってではなく、片側のみに張り出している。このようにつば部３５が片側のみに形成されている構成によれば、つば部３５が形成されていない側の本体部３１を患者の腕（一例）に当接させるようにすることで、カテーテルハブ５の取付けが安定化する。
【００２８】
図４（Ｂ）に示すように、本体部３１から左右両側（上記つば部３５とは略直行する向き）に張り出した各枠部３８は略コ字状に形成されており、その内側が、上記コネクタ側の係止爪１８が挿入される係止孔３６となっている。枠部３８の径方向外側部分は、コネクタの爪１９のカーブ（図２（Ａ）参照）に対応した円弧状に形成されている。
各枠部３８がコ字状に形成されていることで、カテーテルハブ３０の、患者に当接する側（図４（Ｂ）の図示下側）にフラットな当接面３８ｓが形成されている。このような構成によれば、留置針（カテーテルハブ）の取付けの安定性をより向上させることができる。
【００２９】
次に、以上のように構成された本実施形態の医療用コネクタ１０を、カテーテルハブ（留置針）に接続する動作について説明する。なお、限定されるものではないが、以下、カテーテル２を患者の腕の血管に刺す例について説明する。
【００３０】
まず、上記したような二重針構造における従来公知の穿刺方法により、二重針を患者の腕の血管に刺すと共に、内針を引き抜いて、図３（Ｃ）の状態の留置針５のみを患者の腕に留置する。次いで、この留置針５のカテーテルハブ３０に対してコネクタ１０を接続する（図５参照）。
【００３１】
一例として、カテーテルハブ３０を一方の手で摘んで押さえつつ、反対側の手でコネクタ１０を摘み、コネクタ１０をカテーテルハブ３０に向けて移動させることで接続を行う。この際、コネクタ１０の一対の係止爪１８が、ハブ側の各係止孔３６内に挿入される。挿入の途中では、各係止爪１８は、径方向内側に弾性的に変形する。係止爪１８が所定位置まで挿入されると、係止爪１８は径方向外側に復元しこれにより爪１９の係止段部が枠部３８に係止し、コネクタ１０とカテーテルハブ３０とが接続される。
この状態では、コネクタ１０の挿入部１５が、ハブ３０の内孔３１ｈに挿入されており、挿入部１５の外周面と内孔３１ｈの内周面とが略接した状態となっている。
【００３２】
コネクタ１０がカテーテルハブ３０に接続された状態で薬液を流すと、薬液の圧力を受けてコネクタ１０の挿入部１５が拡径しようとする。これにより、挿入部１５の外周面がハブ３０の内孔内周面に押し付けられる。このような構成によれば、コネクタとハブとの接続部の水密シール性が向上するので、薬液の漏洩を防止することができる。
【００３３】
以上説明したように、本実施形態の医療用コネクタ１０によれば、コネクタをカテーテルハブにねじ込んで両部材を接続するのではなく、係止爪１８（爪１９）を利用して接続を行うものであるので、接続作業が非常に簡単である。なお、図５の状態において、一対の爪１９を径方向内向きに押しつつコネクタ１０を手前に引くことで、コネクタ１０をカテーテルハブ３０から取り外すことができる。
【００３４】
また、本実施形態のような、コネクタ１０の爪１９の係止段部がカテーテルハブ３０の係止孔３６（枠部３８）に係止する構成によれば、爪１９が所定位置にしっかりと係止したことを手の感覚で知ることができるので、コネクタをねじ込んで接続する方式と比較して、作業者の誤操作による接続不良が生じにくい。
【００３５】
なお、上記の例の他にも、例えば、係止爪１８をカテーテルハブ３０側に設け、枠部３８をコネクタ１０側に設けるようにしてもよい。
【００３６】
（第２の実施形態）
図６は、第２の実施形態の医療用コネクタを示す断面図である。図７（Ａ）は図６のコネクタの平面図であり、図７（Ｂ）は底面図である。
【００３７】
図６に示すコネクタ１１０は、第１の実施形態の同様、胴体部１１３と、該胴体部から上方に向かって延び出した挿入部１１５と、を備えている。胴体部１１３の両側には、コネクタを前記医療用具に接続するための一対の係止爪１１８が形成されている。
【００３８】
一対の係止爪１１８は、胴体部１１３から径方向外側に張り出した支持部１１８ａと、該支持部１１８ａの先端部（外側の端部）にその略中央部が支持された縦に長い板状のレバー１１８ｂと、を有している。
レバー１１８ｂの先端内側には、内側に向かって突出した半円状（断面形状）の係止部１１９（係止段部）が形成されている。各レバー１１８ｂに形成された係止部１１９同士は、挿入部１１５を挟んで互いに対向している。レバー１１８ｂの手前側部分（下側）は、指で挟むことができるようになっており、手前側ほど互いに離れている。各レバー１１８ｂの手前側部分を内側に向けて押すことで、各レバー１１８ｂが支持部１１８ａとの接続部を支点として回動し、係止部１１９同士の間隔が拡げられる。指を離すことにより、各レバー１１８ｂは元の位置に復元する。
【００３９】
図８、図９は、上記のコネクタ１１０に対応するカテーテルハブ１３０を示している。なお、上記実施形態同様、ハブ１３０の先端にカテーテルが取り付けられることで留置針を構成する。
このカテーテルハブ１３０は、第１の実施形態同様の本体部１３１と、その外周面に形成された２つのつば部１３５と、を有している。
【００４０】
本体部１３１の基端部では、一対の枠部に代えて、フランジ部１３７が形成されている。フランジ部１３７の断面形状は、一例として、両側に傾斜面１３７ａが形成された山形となっている（径方向外側を頂部とする）。
【００４１】
次に、以上のように構成された医療用コネクタ１１０を、カテーテルハブ１３０に接続する動作について説明する。
まず、上記実施形態と同じように、カテーテルを患者の腕に刺して留置する。次いで、本実施形態のコネクタ１１０をカテーテルハブ１３０に接続する。
【００４２】
具体的には、コネクタ１１０の一対の係止爪１１８の手前側を指で摘んで係止部１１９を拡げた状態で、コネクタ１１０をカテーテルハブ１３０に差し込む。コネクタ１１０が所定位置まで差し込まれたところで、係止爪１１８を摘むのをやめ、先端の係止部１１９をハブのフランジ部１３７に係止させる。これにより、コネクタ１１０がハブ１３０に接続される。
【００４３】
上記実施形態同様、使用時（薬液流通時）には、コネクタ１１０の挿入部１１５（図６参照）が薬液の圧力を受けて拡径しようとし、この作用により、挿入部１１５の外周面がハブの内孔内周面に良好に密着し、十分な水密シール性が確保される。
【００４４】
以上説明したように、本発明は、第１の実施形態のような係止爪１８の外側に爪の係止段部が形成されたコネクタに限らず、係止爪１１８の内側に係止部１１９が形成されたコネクタを用いてもよい。このようなコネクタであっても、係止部１１９とフランジ部１３７と間の係止作用により、コネクタとハブとの間の十分な接続強度を得ることができる。また、このようなコネクタ１１０は、基端部にフランジ部を有する一般的なカテーテルハブに対応できるので、汎用性も高い。
【００４５】
以上、本発明の幾つかの例を説明したが、本発明は上記の他にも種々変更可能である。
例えば図１０、図１１に示すように、カテーテルハブ２３０の持ち易さや取付け時の安定性を改善するため、つば部２３５の形状を変更してもよい。
この例では、本体部２３１に２つのつば部２３５が所定の間隔をあけて形成されている。つば部２３５の輪郭形状は、図１１（Ａ）に示すように、ストレートな底辺２３５ａ（患者の腕等に接する部位であることを意図して「底」と表現している）と、その両側につながる左右のＲ部２３５ｂと、上記底辺２３５ａに平行な上辺２３５ｃ（想像線）のところに設けられた、径方向外側にふくらんだ円弧状の突出部２３５ｄと、を有している。
【００４６】
また、コネクタの挿入部１５、１１５（図１、図７参照）は、必ずしも胴体部１３等と同じ材料でなくてもよく、例えば二色成形法により胴体部と挿入部とを別々に成形してもよい。この場合、胴体部は剛性のある材質（例えばポリカーボネート、ＡＢＳ等）とし、一方、挿入部は比較的弾性変形し易い軟質な材質（例えばウレタン等）とすることができる。このような構成によれば、挿入部が変形し易いものであるため、薬液流通時に挿入部の外周面がカテーテルハブの内孔内周面に良好に密着し、高い水密シール性が維持される。なお、このような作用効果を得るためには、挿入部は必ずしも先細り形状である必要はなくストレートの管状であってもよい。
【００４７】
本体部３１、１３１、２３１に形成されるつば部の数は２つに限定されるものではなく、１つ又は３つ以上であってもよい。
【００４８】
図１２は、医療用コネクタの他の例を示す縦断面図である。
このコネクタ１１０は、基本的な構成は図６のものと同様であるが、挿入部１１５に幾つかの変更が加えられている。具体的には、挿入部１１５内の液路において軸方向ほぼ中央に、内径が最も小さい直管形状の縮径部１１１ｂが形成されており、その上流側（図示下側）及び下流側（図示上側）にテーパ面１１１ａ、１１１ｃが形成されている。テーパ面１１１ａは、縮径部１１１ｂに向かって径が徐々にすぼまるテーパ面であり、テーパ面１１１ｃは、縮径部１１１ｂから離れるにつれて径が徐々に拡がるテーパ面である。挿入部１１５のうち、縮径部１１１ｂの外側には、挿入部１１５の周方向に沿って延びる環状の溝１１５ａが形成されている。このような溝１１５ａが形成されていることで、その部分の挿入部１１５の肉厚が薄くなり、結果として、薬液注入時に挿入部１１５が拡径し易くなる。
【００４９】
図１３は、医療用コネクタの更に他の例を示す縦断面図である。
図１３に示すように、係止爪１１８の先端の係止部の形状は種々変更可能であり、この係止部１１９′は、カテーテルハブ側の所定の係止部に係止する、径方向に延在するフラットな係止面１１９ａを有している。このような係止部１１９′の場合、図６のような係止部１１９と比較して、コネクタとカテーテルハブとをより強固に接続することが可能となる。
【００５０】
図１４は、留置針の他の例を示す模式図である。
図１４に示すように、この留置針３０５はカテーテル３０２と、該カテーテルの基端部を支持するカテーテルハブ３３０と、このカテーテルハブ３３０に可撓性チューブ３０３を介して接続された別のハブ３３９に形成された受け部３０８と、を有している。この受け部３０８に、上記したような本発明の一例であるコネクタの挿入部１５を挿入することができる。ハブ３３９には一対の枠部３３８が形成されており、ここにコネクタの爪１９（図１参照）を係止させることで、ハブ３３９とコネクタ１０とを接続することが可能である。
【００５１】
なお、以上説明したように、本発明の医療用コネクタ（雄コネクタ）は、図３のようなカテーテルハブ３０や図８のようなカテーテルハブ１３０、あるいは、図１３のような留置針３０５など、種々の医療用具に接続することができる。「医療用具」の更に別の例としては、医用チューブ同士を接続するコネクタの一方（雌コネクタ）や、液路の分岐部分に使用される幾つかの接続ポートを備えたコネクタ等が挙げられる。
【図面の簡単な説明】
【００５２】
【図１】第１の実施形態の医療用コネクタを示す図であり、（Ａ）が縦断面図であり、（Ｂ）が左側面図である。
【図２】第１の実施形態の医療用コネクタを示す図であり、（Ａ）が図１のコネクタの平面図であり、（Ｂ）は底面図である。
【図３】図１のコネクタを接続することができるカテーテルハブを示す図であり、（Ａ）が正面図であり、（Ｂ）が左側面図であり、（Ｃ）が縦断面図である。
【図４】（Ａ）は図３のカテーテルハブの平面図であり、図４（Ｂ）は底面図である。
【図５】コネクタをカテーテルハブ（留置針）に接続した状態を示す断面図である。
【図６】第２の実施形態の医療用コネクタを示す断面図である。
【図７】（Ａ）は図６のコネクタの平面図であり、（Ｂ）は底面図である。
【図８】本発明の他の実施形態のカテーテルハブを示す図であり、（Ａ）が正面図であり、（Ｂ）が左側面図であり、（Ｃ）が縦断面図である。
【図９】（Ａ）は図８のカテーテルハブの平面図であり、（Ｂ）は底面図である。
【図１０】本発明の更に他の実施形態のカテーテルハブを示す図であり、（Ａ）が正面図であり、（Ｂ）が左側面図であり、（Ｃ）が縦断面図である。
【図１１】（Ａ）は図１０のカテーテルハブの平面図であり、（Ｂ）は底面図である。
【図１２】医療用コネクタの他の例を示す縦断面図である。
【図１３】医療用コネクタの更に他の例を示す縦断面図である。
【図１４】留置針の他の例を示す模式図である。
【符号の説明】
【００５３】
２、３０２  カテーテル
５、３０５  留置針
１０、１１０、１１０′  コネクタ
１１  液路
１３、１１３  胴体部
１５、１１５  挿入部
１８、１１８  係止爪
３０、１３０、２３０  カテーテルハブ
３１、１３１、２３１  本体部
３５、１３５、２３５  つば部
３６  挿入孔
３８  枠部
【図１】
2009160031.tif 000003
【図２】
2009160031.tif 000004
【図３】
2009160031.tif 000005
【図４】
2009160031.tif 000006
【図５】
2009160031.tif 000007
【図６】
2009160031.tif 000008
【図７】
2009160031.tif 000009
【図８】
2009160031.tif 000010
【図９】
2009160031.tif 000011
【図１０】
2009160031.tif 000012
【図１１】
2009160031.tif 000013
【図１２】
2009160031.tif 000014
【図１３】
2009160031.tif 000015
【図１４】
2009160031.tif 000016